(57)【要約】撮影を行うカメラ（９）を備えた携帯電話機本体以外の装置を用いることなくそのカメラ（９）のシャッターを遠隔的に操作できるカメラ付き携帯電話機を得るもので、カメラ制御部（１３）と、送話部（８）からの音声を認識する音声認識部（１０）と、あらかじめ登録された音声サンプル（１１）と、音声認識部（１０）の出力と上記音声サンプル（１１）の一つとを比較する音声比較部（１２）とを備え、カメラ付き携帯電話機がカメラモードのとき、音声比較部（１２）は音声認識部（１０）の出力と音声サンプル（１１）との一致を検出してカメラ制御部（１３）にカメラ（９）のシャッターを切る信号を与えるようにした。【特許請求の範囲】
【請求項１】
カメラモード状態のカメラ付き携帯電話機が予め登録されている音声を認識したとき、それに基づいて上記カメラ（９）のシャッターを自動的に操作するよう構成されたことを特徴とするカメラ付き携帯電話機。
【請求項２】
上記カメラ付き携帯電話機は、カメラ制御部（１３）と、送話部（８）からの音声を認識する音声認識部（１０）と、あらかじめ登録された音声サンプル（１１）と、上記音声認識部（１０）の出力と上記音声サンプル（１１）の一つとを比較する音声比較部（１２）とを備え、上記カメラ付き携帯電話機がカメラモードのとき、上記音声比較部（１２）は上記音声認識部（１０）の出力と上記音声サンプル（１１）との一致を検出して上記カメラ制御部（１３）にカメラ（９）のシャッターを切る信号を与えるようにした請求項１に記載のカメラ付き携帯電話機。
【請求項３】
カメラモード状態のカメラ付き携帯電話機が予め登録されている被写体のポーズを上記カメラ（９）を通して認識したとき、それに基づいて上記カメラ（９）のシャッターを自動的に操作するよう構成されたことを特徴とするカメラ付き携帯電話機。
【請求項４】
上記カメラ付き携帯電話機は、カメラ制御部（１３）と、カメラ（９）にて写される画像を認識する画像認識部（１５）と、あらかじめ登録された画像サンプル（１６）と、上記画像認識部（１５）の出力と上記画像サンプル（１６）の一つとを比較する画像比較部（１７）とを備え、上記カメラ付き携帯電話機がカメラモードのとき、上記画像比較部（１７）は上記画像認識部（１５）の出力と上記画像サンプル（１６）との一致を検出して上記カメラ制御部（１３）にカメラ（９）のシャッターを切る信号を与えるようにした請求項３に記載のカメラ付き携帯電話機。
【請求項５】
カメラモード状態のカメラ付き携帯電話機が予め登録されている被写体の動作を上記カメラ（９）を通して認識したとき、それに基づいて上記カメラ（９）のシャッターを自動的に操作するよう構成されたことを特徴とするカメラ付き携帯電話機。
【請求項６】
上記カメラ付き携帯電話機は、カメラ制御部（１３）と、カメラ（９）にて写される画像を認識する画像認識部（１５）と、あらかじめ登録された画像サンプル（１６）と、上記画像認識部（１５）の出力と上記画像サンプル（１６）のうち連続する二つ以上のサンプルとを比較する画像比較部（１７）とを備え、上記カメラ付き携帯電話機がカメラモードのとき、上記画像比較部（１７）は上記画像認識部（１５）の出力と上記連続する画像サンプル（１６）との一致を検出して上記カメラ制御部（１３）にカメラ（９）のシャッターを切る信号を与えるようにした請求項５に記載のカメラ付き携帯電話機。
【請求項７】
上記カメラ付き携帯電話機は、カメラ（９）のシャッターが切れたことを撮影者に知らせるレシーバ（１４）を備えていることを特徴とする請求項１〜請求項６のいずれか一項に記載のカメラ付き携帯電話機。
【請求項８】
上記カメラ付き携帯電話機は、カメラ（９）のシャッターが切れなかったことを撮影者に知らせるレシーバ（１４）を備えていることを特徴とする請求項１〜請求項６のいずれか一項に記載のカメラ付き携帯電話機。
【請求項９】
上記カメラ付き携帯電話機は、その送話部（８）またはカメラ（９）から音声または画像を取り込んで音声サンプル（１１）または画像サンプル（１６）として登録できるようになされていることを特徴とする請求項１〜請求項６のいずれか一項に記載のカメラ付き携帯電話機。
【発明の詳細な説明】
【技術分野】  この発明は、カメラ機能の遠隔操作が可能なカメラ付き携帯電話機に関するものである。
【背景技術】  近年、携帯電話機には各種の機能が付加され、その中でもカメラ付き携帯電話機では、カメラのシャッターを遠隔操作するものが提案されている。特開２００２−５０９９９に開示されているカメラ機能付き携帯電話システムは、専用のリモコン装置を用い、該リモコン装置と携帯電話機とを無線通信、赤外線通信、有線通信などで結び、リモコン信号を携帯電話機に送信することによりカメラ機能の遠隔操作を行っている。
また、特開２００３−１８２５４に開示されているカメラ付き携帯電話機では、カメラモードにあるカメラ付き携帯電話機に着信があれば、その着信信号に基づいて自動的にカメラのシャッターが操作されるようにしている。
しかしながら、これらの方法はいずれも、カメラを備えた携帯電話機以外にそのカメラを遠隔操作するための装置を別途必要とする。すなわち、特開２００２−５０９９９のものでは、カメラ付き携帯電話機自身がカメラの遠隔操作に対応できる機能を備えていたとしても、撮影したい時にリモコン装置を同時に持ち合わせていなければその機能を使用することはできない。そのうえ、被写体自身がこの機能を利用して遠隔的に撮影を行う場合、カメラを操作するためのリモコン装置が撮影画像に映り込んでしまうことになる。特開２００３−１８２５４のものでは、カメラ付き携帯電話機以外にもう１台の携帯電話機が必要である。また、手持ちで写真を撮る場合、シャッターを押したときに手ブレが発生しやすい。
この発明はこのような従来の問題を解決するものであり、撮影を行うカメラを備えた携帯電話機本体以外の装置を用いることなくそのカメラのシャッターを遠隔的に操作できるカメラ付き携帯電話機を得ることを目的とする。
【発明の開示】
本発明は上記のような問題点を解消するためになされたもので、撮影を行うカメラを備えた携帯電話機本体以外の装置を用いることなくそのカメラのシャッターを遠隔的に操作できるカメラ付き携帯電話機を得ることを目的とする。
この目的を達成するため、この発明は、カメラモード状態のカメラ付き携帯電話機が予め登録されている音声を認識したとき、それに基づいて上記カメラのシャッターを自動的に操作するよう構成されたことを特徴とするものである。
また、上記カメラ付き携帯電話機は、カメラ制御部と、送話部からの音声を認識する音声認識部と、あらかじめ登録された音声サンプルと、上記音声認識部の出力と上記音声サンプルの一つとを比較する音声比較部とを備え、上記カメラ付き携帯電話機がカメラモードのとき、上記音声比較部は上記音声認識部の出力と上記音声サンプルとの一致を検出して上記カメラ制御部にカメラのシャッターを切る信号を与えるようにしたものである。
また、この発明は、カメラモード状態のカメラ付き携帯電話機が予め登録されている被写体のポーズを上記カメラを通して認識したとき、それに基づいて上記カメラのシャッターを自動的に操作するよう構成されたことを特徴とするものである。
また、上記カメラ付き携帯電話機は、カメラ制御部と、カメラにて写される画像を認識する画像認識部と、あらかじめ登録された画像サンプルと、上記画像認識部の出力と上記画像サンプルの一つとを比較する画像比較部とを備え、上記カメラ付き携帯電話機がカメラモードのとき、上記画像比較部は上記画像認識部の出力と上記画像サンプルとの一致を検出して上記カメラ制御部にカメラのシャッターを切る信号を与えるようにしたものである。
また、この発明は、カメラモード状態のカメラ付き携帯電話機が予め登録されている被写体の動作を上記カメラを通して認識したとき、それに基づいて上記カメラのシャッターを自動的に操作するよう構成されたことを特徴とするものである。
また、上記カメラ付き携帯電話機は、カメラ制御部と、カメラにて写される画像を認識する画像認識部と、あらかじめ登録された画像サンプルと、上記画像認識部の出力と上記画像サンプルのうち連続する二つ以上のサンプルとを比較する画像比較部とを備え、上記カメラ付き携帯電話機がカメラモードのとき、上記画像比較部は上記画像認識部の出力と上記連続する画像サンプルとの一致を検出して上記カメラ制御部にカメラのシャッターを切る信号を与えるようにしたものである。
【図面の簡単な説明】  第１図はこの発明の実施の形態１に係るカメラ付き携帯電話機の構成を示すブロック図である。
第２図はこの発明の実施の形態２および３に係るカメラ付き携帯電話機の構成を示すブロック図である。
第３図は実施の形態１を説明する主な動作を示すフローチャートである。
第４図は実施の形態２を説明する主な動作を示すフローチャートである。
第５図はこの発明の実施の形態３に係るカメラ付き携帯電話機の主な動作を説明するフローチャートである。
【発明を実施するための最良の形態】実施の形態１
次に、この発明について図面を参照して説明する。第１図は実施の形態１に係るこの発明のカメラ付き携帯電話機の構成を示すブロック図である。第１図に示すように、この発明のカメラ付き携帯電話機は、従来の携帯電話機が備えているテンキーおよび機能キーなどの操作部１、操作部１での操作に基づいて通話制御を行う送受信部２、表示部３、記憶部４、および上記１〜４の制御を行う制御部５を備えており、通常の通話、電子メール等のデータ伝送、相手先電話番号の記憶等が可能である。アンテナ６は送受信部２に接続され、受話部７、送話部８はそれぞれ制御部５に接続されている。通話時において、受話部７は音声の出力を、送話部８は音声の入力を行う。
また、カメラ９が制御部５に接続されており、操作部１で所定の操作を行うことにより、本実施の形態におけるカメラ付き携帯電話機は、カメラ９を用いて撮影することが可能なカメラモードになる。カメラモードのとき、表示部３にはカメラ９に映る映像が常時表示される。このカメラモードの状態で更に操作部１の所定のキーを操作することで、カメラ９のシャッター制御が可能である。撮影を行うと撮影した画像が表示部３に表示され、操作部１で所定のキーを操作することで、記憶部４に保存することができる。さらに、後述の動作を行うレシーバ１４が制御部５に接続されている。
制御部５は、音声認識部１０、音声サンプル１１、音声比較部１２、カメラ制御部１３を含む。音声認識部１０は送話部８からの音声入力を認識し確認する。音声比較部１２は音声サンプル１１にあらかじめ登録されている音声と、音声認識部１０で認識した音声を比較し、その比較結果でカメラ制御部１３に信号を与える。
次に、本実施の形態１におけるカメラ付き携帯電話機のカメラ９を遠隔的に制御する方法について第１図の構成および第３図のフローチャートを用いて説明する。まず、携帯電話機がカメラモードにある状態（Ｓ４００：ＹＥＳ）で、送話部８からの音声入力を音声認識部１０で確認すると（Ｓ４０１：ＹＥＳ）、認識した音声が音声サンプル１１に予め登録されている音声と一致するかを音声比較部１２で確認する。一致していると認識した場合（Ｓ４０２：ＯＫ）、カメラ制御部１３によりカメラ９のシャッターを操作（Ｓ４０３）し、撮影を行う（Ｓ４０４）。撮影者（被写人物）が音声を発してからシャッターが切れるまでには数秒の余裕があるほうが自然に撮影できることを考慮して、この時間設定機能をカメラ制御部１３に持たせてもよい。撮影者からの入力音量が足りず、音声入力を認識できなかった場合（Ｓ４０１：ＮＯ）は、再度音声入力を行うことができる。本実施の形態では、送話部８は離れた位置からの音声も入力できるように、カメラモードのときは通常の通話状態よりマイクの感度を上げておく。
撮影を行うと、レシーバ１４にて効果音を鳴動させる等の方法で、撮影者に撮影が終了したことを知らせ（Ｓ４０５）、撮影した画像が表示部３に表示され、撮影者は操作部１の所定のキーを操作することで記憶部４に保存することができる。また、音声比較部１２において、入力された音声と音声サンプル１１が一致しないと判断した場合（Ｓ４０２：ＮＧ）は、撮影終了時とは異なる効果音をレシーバ１４から鳴動させるなどして撮影者に撮影ができなかったことを知らせ（Ｓ４０６）、再度音声が入力されるのを待つ。撮影条件となる音声は、予め登録されている音声サンプル１１の中からユーザーが任意の１つを選択可能である。また、ユーザーは、操作部１の所定のキーを操作することで送話部８からの３秒程度の音声入力を音声サンプル１１として新たに登録することができる。
なお、本実施の形態１では、カメラのシャッターを、音声を用いて遠隔的に制御しているが、撮影者がカメラを手に保持した状態で音声を用いて同様にシャッターを制御することも可能である。この場合、シャッターボタンを押すという動作をせず、カメラを静止した状態で保持したままシャッターを切ることができるので、手ぶれを防止できるという効果を有する。
さらに、上述した遠隔的な制御とカメラを手に保持した状態での制御とを切り替えて行うようにしてもよい。この場合、遠隔的な制御時にはカメラの撮影方向の音声を入力するように、また、カメラ保持状態での制御時にはファインダー方向の音声を入力するように、２つの送話部を、または送話部の指向性を切り替えるようにすると誤動作を防止できる。
実施の形態２
第２図はこの発明の実施の形態２に係るカメラ付き携帯電話機の構成を示すブロック図である。本実施の形態２に係るカメラ付き携帯電話機は、第１図のものと同様、テンキーおよび機能キーなどの操作部１、操作部１での操作に基づいて通話制御を行う送受信部２、表示部３、記憶部４、および上記１〜４の制御を行う制御部５を備えており、通常の通話、電子メール等のデータ伝送、相手先電話番号の記憶等が可能である。アンテナ６は送受信部２に接続され、受話部７、送話部８はそれぞれ制御部５に接続されている。
また、カメラ９が制御部５に接続されており、操作部１で所定の操作を行うことにより、本実施の形態におけるカメラ付き携帯電話機は、カメラ９を用いて撮影することが可能なカメラモードになる。カメラモードのとき、表示部３にはカメラ９に映る映像が常時表示される。このカメラモードの状態で更に操作部１の所定のキーを操作することで、カメラ９のシャッター制御が可能である。撮影を行うと撮影した画像が表示部３に表示され、操作部１で所定のキーを操作することで、記憶部４に保存することができる。さらに、後述の動作を行うレシーバ１４が制御部５に接続されている。
制御部５は、カメラ９に接続されたカメラ制御部１３、画像サンプル１６、画像比較部１７を含む。画像認識部１５はカメラ９からの画像入力から画像輪郭抽出を行う。画像比較部１７は画像サンプル１６にあらかじめ登録されている画像と、画像認識部１５で認識した画像のポーズを比較し、その比較結果でカメラ制御部１３に信号を与える。
次に、実施の形態２におけるカメラ付き携帯電話機のカメラ９を遠隔的に制御する方法について第２図および第４図のフローチャートを用いて説明する。先ず、携帯電話機がカメラモードにある状態（Ｓ５００：ＹＥＳ）で、カメラ９に映り表示部３に表示されている画像を、画像認識部１５において輪郭抽出し、この被写体のポーズが制御部５の画像サンプル１６に予め登録されている画像（例えばＶサインなど）と一致するかを画像比較部１７で確認する。一致していると認識した場合（Ｓ５０１：ＯＫ）、カメラ制御部１３はその信号を受けて、カメラ９のシャッターを切り（Ｓ５０２）撮影を行う（Ｓ５０３）。撮影者（被写人物）がポーズをとってからシャッターが切れるまでには数秒の余裕があるほうが自然に撮影ができることを考慮して、この時間設定機能をカメラ制御部１３に持たせてもよい。撮影を行うと、レシーバ１４にて効果音を鳴動させる等の方法で撮影者に撮影が終了したことを知らせ（Ｓ５０４）、撮影した画像が表示部３に表示され、操作部１の所定のキーを操作することで記憶部４に保存される。
撮影条件となるポーズは、画像サンプル１６として予め登録されているサンプルの中からユーザーが任意の１つを選択可能である。また、ユーザーは、事前に撮影しておいた画像を新たに画像サンプル１６として登録することもできる。本実施の形態２は上記実施の形態１とは異なり、例えば周囲が騒々しい環境でもカメラ９の制御に影響しないという利点がある。
実施の形態３
第５図は、この発明のカメラ付き携帯電話機における実施の形態３を説明する主な動作のフローチャートである。カメラ付き携帯電話機の構成は実施の形態２（第２図）と同様であるが、実施の形態３においては、画像サンプル１６は少なくとも異なる第１および第２の２種類以上のポーズで１組とし、撮影者の連続するポーズにより撮影者の動作を検出するようにした点に特徴がある。
以下、第２図と第５図を用いて実施の形態３を説明する。先ず、携帯電話機がカメラモードにある状態（Ｓ６００：ＹＥＳ）で、カメラ９に映り表示部３に表示されている画像を画像認識部１５において輪郭抽出し、撮影者の第１のポーズが制御部５の画像サンプル１６に予め登録されている１組のサンプルの１ポーズ目と一致するかを画像比較部１７で確認する。一致していると認識した場合（Ｓ６０１：ＹＥＳ）レシーバ１４にて効果音を鳴動させる等の方法で撮影者に最初の画像を認識したことを知らせる（Ｓ６０２）。その後、撮影者の第２のポーズが制御部５の画像サンプル１６にあらかじめ登録されている１組のサンプルの２ポーズ目と一致するかを画像比較部１７で確認する。一致していると認識した場合（Ｓ６０３：ＹＥＳ）、撮影者が登録されている動作をしているものと判断し、画像比較部１７はカメラ制御部１３に信号を送り、カメラ制御部１３がカメラ９のシャッターを切り（Ｓ６０４）撮影を行う（Ｓ６０５）。撮影を行うと、レシーバ１４にて効果音を鳴動させる等の方法で撮影者に撮影が終了したことを知らせ（Ｓ６０６）、撮影した画像が表示部３に表示され、操作部１の所定のキーを操作することで記憶部４に保存される。
撮影者の動作の認識は２ポーズ以上で行い、ポーズの確認の間隔は定期的（例えば１秒ごと）に行う。３ポーズ以上の場合は、上述の画像認識および画像比較を繰り返し、最終ポーズまで一致したことが画像比較部１７で確認されると信号を出し、カメラ制御部１３によりカメラ９のシャッターを切って撮影を行う。画像比較部１７において、２ポーズ目以降で認識した被写体ポーズと画像サンプル１６が一致しないと判断した場合（Ｓ６０３：ＮＧ）は、撮影終了時とは異なる効果音をレシーバ１４から鳴動させる等して撮影者に撮影ができなかったことを知らせ（Ｓ６０７）、１ポーズ目認識前の状態に戻る。
撮影条件となる画像サンプル１６は予め登録されており、ユーザーがその中から任意の１組みを選択可能である。また、動画撮影のできるカメラであれば、ユーザーが事前に撮影しておいた動画を、例えば１秒毎にサンプリングし、新たに画像サンプル１６として登録することもできる。本実施の形態３は、上記実施の形態２と比較して、カメラ９への撮影条件を偶然満たしてしまう可能性をより低くすることができる。
【産業上の利用可能性】  この発明は、カメラ機能の遠隔操作をカメラ付き携帯電話機だけで実現できるため、カメラ機能を広範囲に活用できる。
【図１】
2005050308.tif 000002
【図２】
2005050308.tif 000003
【図３】
2005050308.tif 000004
【図４】
2005050308.tif 000005
【図５】
2005050308.tif 000006
【国際調査報告】
2005050308.tif 000007
2005050308.tif 000008
2005050308.tif 000009
2005050308.tif 000010
2005050308.tif 000011
2005050308.tif 000012